(57)【要約】【課題】  排水口部材を単純構造で小型化させることができると共に、施工が短時間で容易にでき、そして、透水路面層の目詰まりに伴う泥水や大雨等で集中した表面水を側溝内に排水させることができる透水性側溝の排水口構造を提供する。【解決手段】  透水性側溝（Ａ）の途中に配設される排水口部材（５）が隣り合う蓋部材（３），（３）間において、その周囲が前記透水路面層（４）によって覆われる状態で前記蓋受け段差面（２），（２）間に載置され、  この排水口部材（５）は左右方向に長いスリット溝（５２）を囲む前後壁（５０），（５０）及び左右壁（５１），（５１）により形成され、  前記スリット溝（５２）の上面開口部が流入口（５４）として前記透水路面層（４）の表面に開口すると共に、前記スリット溝（５２）の底面開口部が流出口（５５）として側溝の内部に開口するように形成されている。【選択図】  図１
0003133807.tif 000002
【実用新案登録請求の範囲】
【請求項１】
左右の側壁（１２），（１２）に蓋受け段差面（２），（２）が形成された側溝本体（１）と、角部を頂部とした複数の山形型材（３０），（３０）が通水口となる間隙（３１）を保持して側溝の長さ方向に並列状態で連結された多数の蓋部材（３）を備え、
前記蓋部材（３）が側溝の長さ方向に列設された状態で前記蓋受け段差面（２），（２）間に載置されると共に、この蓋部材（３）の上に透水路面層（４）が形成された透水性側溝（Ａ）において、
この透水性側溝（Ａ）の途中に配設される排水口部材（５）が隣り合う蓋部材（３），（３）間において、その周囲が前記透水路面層（４）により覆われる状態で前記蓋受け段差面（２），（２）間に載置され、
この排水口部材（５）は左右方向に長いスリット溝（５２）を囲む前後壁（５０），（５０）及び左右壁（５１），（５１）により形成され、
前記スリット溝（５２）の上面開口部が流入口（５４）として前記透水路面層（４）の表面に開口すると共に、前記スリット溝（５２）の底面開口部が流出口（５５）として側溝の内部に開口するように形成されていることを特徴とする透水性側溝の排水口構造。
【請求項２】
請求項１記載の透水性側溝の排水口構造において、前記排水口部材（５）に、前記隣り合う蓋部材（３），（３）における山形型材（３０），（３０）の傾斜片（３０ａ），（３０ａ）を挟むように傾斜当て部材（５６），（５６）と下端当て部材（５７），（５７）とが形成され、
前記傾斜当て部材（５６）は、前記傾斜片（３０ａ）の上面に当接するように排水口部材（５）の下端に突設され、
前記下端当て部材（５７）は、前記傾斜片（３０ａ）の下端に当接するように排水口部材（５）の下端に突設されている透水性側溝の排水口構造。
【考案の詳細な説明】
【技術分野】
【０００１】
本考案は、雨水の排水機能を有する透水路面層によって上面が覆われている透水性側溝において、この透水性側溝の途中に形成される排水口構造に関する。
【背景技術】
【０００２】
従来、側溝本体の上面を雨水の排水機能を有する透水路面層によって覆うようにした透水性側溝が知られている（特許文献１、特許文献２参照）。
【０００３】
この透水性側溝は、複数の山形型材を通水口となる間隙を保持して連結させた蓋部材を形成させ、この蓋部材を側溝本体に形成した左右の蓋受け段差面の間に載置させた状態で、この蓋部材の上に透水路面層を形成した構造になっている。
従って、雨水は透水路面層を透水し、さらに蓋部材を形成する山形型材間の間隙を通して側溝本体の内部に流入するもので、これにより雨水を効率よく側溝内に排水させることができる。
【０００４】
このような透水性側溝では、長年使用に伴い透水路面層に泥等によって目詰まりが生じてしまう。
特に、車道から透水性側溝を越えて駐車場等に自動車を乗り入れるような場所、透水性側溝が民地との境界になっているような場所においては、泥等の流入による目詰まりが激しく、透水路面層による透水機能が損なわれてしまうという問題があった。
【０００５】
このような目詰まりをそのまま放置しておくと、結果として路面排水になってしまい、市民生活の上で障害になってしまう。
又、目詰まりを解消する手段として、高圧水を透水路面層の表面に吹き付けて、その勢いによって泥等を流出させることが行なわれるが、このような管理を常に行なわなければならないという問題が生じる。
【０００６】
前記従来技術（特許文献１及び特許文献２）として示した透水性側溝においては、このような泥水を側溝内に排水させたり、大雨等で集中した表面水を側溝内に排水させたりするために排水口構造を設けた構造にはなっていない。
【０００７】
なお、透水性側溝では、その途中に側溝の内部を点検し管理するためにグレーチング蓋（水落ち蓋）を設置するようになっているが、このグレーチング蓋は、あくまでも開閉可能な蓋体であって、開口面積が広くなる分だけ部材が大型になり、その施工に時間と手間がかかるという問題がある。
【特許文献１】特許公開２００５−２３７７６号公報
【特許文献２】特許公開２００５−１７１５９７号公報
【考案の開示】
【考案が解決しようとする課題】
【０００８】
本考案は、排水口部材を単純構造で小型化させることができると共に、施工が短時間で容易にでき、そして、透水路面層の目詰まりに伴う泥水や大雨等で集中した表面水を側溝内に排水させることができる透水性側溝の排水口構造を提供することを課題としている。
【課題を解決するための手段】
【０００９】
上記の課題を解決するために、本考案（請求項１）の透水性側溝の排水口構造は、
左右の側壁（１２），（１２）に蓋受け段差面（２），（２）が形成された側溝本体（１）と、角部を頂部とした複数の山形型材（３０），（３０）が通水口となる間隙（３１）を保持して側溝の長さ方向に並列状態で連結された多数の蓋部材（３）を備え、
前記蓋部材（３）が側溝の長さ方向に列設された状態で前記蓋受け段差面（２），（２）間に載置されると共に、この蓋部材（３）の上に透水路面層（４）が形成された透水性側溝（Ａ）において、
この透水性側溝（Ａ）の途中に配設される排水口部材（５）が隣り合う蓋部材（３），（３）間において、その周囲が前記透水路面層（４）により覆われる状態で前記蓋受け段差面（２），（２）間に載置され、
この排水口部材（５）は左右方向に長いスリット溝（５２）を囲む前後壁（５０），（５０）及び左右壁（５１），（５１）により形成され、
前記スリット溝（５２）の上面開口部が流入口（５４）として前記透水路面層（４）の表面に開口すると共に、前記スリット溝（５２）の底面開口部が流出口（５５）として側溝の内部に開口するように形成されている構成とした。
【００１０】
又、本考案（請求項２）の透水性側溝の排水口構造は、
請求項１記載の透水性側溝の排水口構造において、前記排水口部材（５）に、前記隣り合う蓋部材（３），（３）における山形型材（３０），（３０）の傾斜片（３０ａ），（３０ａ）を挟むように傾斜当て部材（５６），（５６）と下端当て部材（５７），（５７）とが形成され、
前記傾斜当て部材（５６）は、前記傾斜片（３０ａ）の上面に当接するように排水口部材（５）の下端に突設され、
前記下端当て部材（５７）は、前記傾斜片（３０ａ）の下端に当接するように排水口部材（５）の下端に突設されている構成とした。
【００１１】
なお、本考案において、「左右」とは側溝の幅方向（図２及び図３において紙面左右方向）を言い、「前後」とは側溝の長さ方向（図１において紙面左右方向、図３において紙面上下方向）を言う。
【考案の効果】
【００１２】
本考案の排水口構造（請求項１）は、透水性側溝の途中において、透水路面層が泥等によって目詰まりを生じ易いような場所、大雨等で表面水が集中し易いような場所を設置場所とし、透水路面層に埋設させる状態（埋め殺し状態）で排水口部材が設置されている。
そして、この排水口部材のスリット溝には、透水路面層の表面に開口した流入口と、側溝の内部に開口した流出口が形成されている。
従って、透水路面層の表面に溢れた泥水や雨水は、流入口からスリット溝の内部を経て流出口から側溝内に排水されるもので、これにより、透水路面層の目詰まりに伴う泥水や大雨等で集中した表面水を側溝内に排水させることができる。
【００１３】
又、前記排水口部材は、前後壁及び左右壁によって左右方向に長いスリット溝を囲むように形成させたものであるため、単純構造で小型である。
又、施工についても小型の排水口部材を隣り合う蓋部材間に配設させるだけの工程を追加すればよく、短時間で容易に施工することができる。
【００１４】
本考案の排水口構造（請求項２）は、排水口部材に、隣り合う蓋部材における山形型材の傾斜片を挟むように傾斜当て部材と下端当て部材とが形成されている。
従って、傾斜当て部材と下端当て部材とで山形型材の傾斜片を挟むだけの簡単な手間で排水口部材を保持させることができ、これにより、隣り合う蓋部材を利用しながら排水口部材を蓋受け段差面間に安定よく載置することができる。
【考案を実施するための最良の形態】
【００１５】
図１は本考案における透水性側溝の排水口構造の実施例を示す側溝の長さ方向断面図、図２はその排水口構造を示す側溝の幅方向断面図、図３はその排水口構造を示す切欠平面図である。
【００１６】
図において、１は側溝本体で、現場打ち施工によって形成され、上面が開口し、底部１１と左右の側壁１２，１２により内部が樋状の溝水路１３に形成された略Ｕ字状に形成され、前記両側壁１２，１２の内面上端部分に左右の蓋受け段差面２，２が形成されている。
なお、側溝本体１としてコンクリート２次製品を用いることができる。
【００１７】
そして、前記蓋受け段差面２，２間に側溝の長さ方向に列設させた状態で多数の蓋部材３が載置されると共に、この蓋部材３の上に透水路面層４が形成されることで透水性側溝Ａが形成されている。
この実施例では、角部を頂部とした複数（例えば８個）の山形型材３０を通水口となる間隙３１を保持して側溝の長さ方向に並列させた状態で細棒３２により連結させた蓋部材３を用いている。
これにより、雨水は透水路面層４を透水し、さらに山形型材３０，３０間の間隙３１を通して側溝本体１の溝水路１３に流入する。
【００１８】
このような透水性側溝Ａにおいて、その途中に排水口部材５を、その周囲が透水路面層４により囲まれる埋設状態で配置させるもので、この排水口部材５は、透水路面層４が泥等によって目詰まりを生じ易いような場所、大雨等で表面水が集中し易いような場所を設置場所として、隣り合う蓋部材３，３間に配設される。
この場合、隣り合う蓋部材３，３間において、排水口部材５との間にも通水間隔３３，３３を保持させ、この通水間隔３３，３３からも雨水を溝水路１３に流入させるようにしている。
【００１９】
前記排水口部材５は前後壁５０，５０及び左右壁５１，５１により左右方向に長いスリット溝５２（細幅溝）を囲むように形成されている。
なお、前記前後壁５０，５０の上端部分には、スリット溝５２の間隔を保持させるためのスペーサ５３が設けられている。
【００２０】
そして、スリット溝５２の上面開口部が流入口５４として前記透水路面層４の表面に開口すると共に、前記スリット溝５２の底面開口部が流出口５５として側溝本体１の溝水路１３内に開口するように形成されている。
なお、この実施例では、前後壁５０，５０を横長の台形に形成させ、左右壁５１，５１を縦長の台形に形成させており、これにより前記流入口５４の左右幅及び前後幅を、流出口５５の左右幅及び前後幅よりも狭く形成させている。このように形成したことにより、流入口５４より流入した物がスリット溝５２の途中にとどまることがなく、スムーズに流出口５５より排出することができる。
【００２１】
又、前記前後壁５０，５０は、その上辺が中央に向けて若干の下り勾配に形成され、これに対応して周辺の透水路面層４の表面も流入口５４に向けて若干の下り勾配に形成され、これにより排水口部材５の設置場所付近において、流入口５４に向かう集水能力を向上させることができる。
【００２２】
従って、透水路面層４の表面に泥水や雨水が溢れた場合、その泥水や雨水は流入口５４からスリット溝５２を経て流出口５５から側溝本体１の溝水路１３に排水される。
【００２３】
また、前記排水口部材５には、隣り合う蓋部材３，３における山形型材３０，３０の傾斜片３０ａ，３０ａを挟むように傾斜当て部材５６，５６と下端当て部材５７，５７とが形成されている。
前記傾斜当て部材５６は、山形型材３０の傾斜片３０ａの上面に当接するように板状に形成されて排水口部材５の下端から前後方向に上向き斜めに突設されている。
前記下端当て部材５７は、山形型材３０の傾斜片３０ａの下端に当接するようにピン状に形成されて排水口部材５の下端から前後方向に水平に突設されている。この実施例では、下端当て部材５７を前後壁５０，５０の下端間に渡すことで、この下端当て部材５７をスペーサとして兼用させている。
【００２４】
従って、排水口部材５を設置させるに際し、傾斜当て部材５６と下端当て部材５７とで山形型材３０の傾斜片３０ａを挟むだけの簡単な手間で排水口部材５を保持させ、蓋受け段差面２，２間に安定よく載置することができる。
【００２５】
次に、図４は本考案の他の実施例を示す断面図である。
この実施例は、本考案に係る透水性側溝Ａを、前記特許文献１（特開２００５−２３７７６号公報）に示したような従来構造の通水性舗装路Ｂの路肩部分に設置した例で、下地層（不透水層）９１の上に通水性表層９０が形成された通水性舗装路Ｂの路肩部に本案透水性側溝Ａが設置され、この透水性側溝Ａの透水路面層４と前記通水性舗装路Ｂの通水性表層９０とが同時施工で一体に連続して形成されている。
なお、上記図４では透水性側溝Ａの一側（画面右側）のみを通水性舗装路Ｂの通水性表層９０に連続させた施工例を示したが、これに限らず、道路を横断して透水性側溝Ａを設置させるような場合、透水性側溝Ａの左右両側を通水性舗装路の通水性表層に連続させるように施工する。
【００２６】
このように本案透水性側溝Ａの透水路面層４を通水性舗装路Ｂの通水性表層９０に連続させるように施工することで、通水性舗装路Ｂ上の雨水を通水性表層９０に透水させたのち、この通水性表層９０から引き続き連続して透水路面層４に流入させることができるし、この通水性表層９０の表面から透水路面層４の表面に流動してきた泥水や雨水についても本考案の排水口構造によって排水することができる。
【００２７】
次に、図５は排水口部材５の他の実施例を示す断面図である。
この排水口部材５は、前後壁５０，５０の下端にアングル型材５８，５８を取り付けることで、底面積を広く形成させたもので、これにより、排水口部材５を左右の蓋受け段差面２，２間に安定よく載置させることができる。
【図面の簡単な説明】
【００２８】
【図１】本考案における透水性側溝の排水口構造の実施例を示す側溝の長さ方向断面図である。
【図２】その排水口構造を示す側溝の幅方向断面図である。
【図３】その排水口構造を示す切欠平面図である。
【図４】本考案の他の実施例を示す断面図である。
【図５】排水口部材の他の実施例を示す断面図である。
【符号の説明】
【００２９】
１  側溝本体
２  段差面
３  蓋部材
４  透水路面層
５  排水口部材
３０  山形型材
３０ａ  傾斜片
３１  間隙
３２  細棒
３３  通水間隔
５０  前後壁
５１  左右壁
５２  スリット溝
５４  流入口
５５  流出口
５６  傾斜当て部材
５７  下端当て部材
Ａ  透水性側溝
Ｂ  通水性舗装路
【図１】
0003133807.tif 000003
【図２】
0003133807.tif 000004
【図３】
0003133807.tif 000005
【図４】
0003133807.tif 000006
【図５】
0003133807.tif 000007